(57)【要約】【課題】ケーブルを有するバッテリーを備えた携帯端末装置において、小型化を図ると共に、ケーブルの破損を防止できるようにする。【解決手段】一表面３ｂに開口部を有するバッテリー収容部１７を備えた端末本体３と、前記バッテリー収容部１７に収容可能なバッテリー５と、該バッテリー５から電力を前記端末本体３に供給するケーブル１３と、スライドして前記バッテリー収容部１７の開口部を開閉自在とする蓋体７とを備える携帯端末装置であって、前記蓋体７により前記バッテリー収容部１７の開口部を閉じた状態で前記ケーブル１３が収容される位置に対向して弾性体４２を配設したことを特徴とする携帯端末装置を提供する。【選択図】      図５
2004355966.tif 000002
【特許請求の範囲】
【請求項１】
一表面に開口部を有するバッテリー収容部を備えた端末本体と、前記バッテリー収容部に収容可能なバッテリーと、該バッテリーから電力を前記端末本体に供給するケーブルと、スライドして前記バッテリー収容部の開口部を開閉自在とする蓋体とを備える携帯端末装置であって、
前記蓋体により前記バッテリー収容部の開口部を閉じた状態で前記ケーブルが収容される位置に対向して弾性体を配設したことを特徴とする携帯端末装置。
【請求項２】
一表面に開口部を有するバッテリー収容部を備えた端末本体と、前記バッテリー収容部に収容可能なバッテリーと、該バッテリーから電力を前記端末本体に供給するケーブルと、スライドして前記バッテリー収容部の開口部を開閉自在とする蓋体とを備える携帯端末装置であって、
前記バッテリーを前記バッテリー収容部に収容した状態において、前記ケーブルの少なくとも一部が、前記蓋体のスライド方向に略直交する前記バッテリーの端面と前記バッテリー収容部の端面との間に形成される空間内に配されると共に、
前記蓋体には、前記スライド方向に延び、前記端末本体に係合して前記開口部を閉状態に保持する係合部とを備え、
前記蓋体により前記バッテリー収容部の開口部を閉じた状態において、前記蓋体の係合部と前記バッテリーとの間に形成される隙間に弾性体を設けたことを特徴とする携帯端末装置。
【請求項３】
前記弾性体が、スポンジ状部材であることを特徴とする請求項１又は請求項２に記載の携帯端末装置。
【発明の詳細な説明】
【０００１】
【発明の属する技術分野】
この発明は、バッテリーを一体的に固定する収容部を有する携帯電話機、ＰＤＡ（Ｐｅｒｓｏｎａｌ  Ｄｉｇｉｔａｌ  Ａｓｓｉｓｔａｎｔｓ）等の携帯端末装置に関する。
【０００２】
【従来の技術】
従来、携行可能な携帯端末装置は、電源のない屋外でも使用できるように、筐体の内部にバッテリーを備えている（例えば、特許文献１参照。）。
携帯端末装置は、図７に示すように、厚さ方向（Ａ方向）に開口するバッテリー収容部５１を有する端末本体５３と、バッテリー収容部５１の開口部を開閉する蓋体５５とを備えている。蓋体５５は、端末本体５３の厚さ方向に直交する方向（ＣＤ方向）にスライドすることにより、バッテリー収容部５１の開口部を開閉するようになっている。
バッテリー収容部５１に収容されるバッテリー５７は、板状に形成されたバッテリー本体５９と、バッテリー本体５９から引き出されたケーブル６１とを備えている。このバッテリー５７のケーブル６１は、バッテリー本体５９の厚さ方向に沿う端面５９ａに隣接して配されている。
【０００３】
端末本体５３を構成する筐体の内面５３ａ側には、引っ掛け部５３ｂを有すると共に、蓋体５５には、爪６５ａを引っ掛け部５３ｂに引っ掛けてバッテリー収容部５１の開口部を閉じた状態に保持するための係合部６５が設けられており、この係合部６５とバッテリー本体５９の端面５９ａとの間には隙間Ｓが形成されている。ケーブル６１はこの隙間Ｓの近傍に配されている。
以上のように構成される携帯端末装置は、鞄や衣服のポケット等に収容して携行することを目的としているため、その小型化、薄型化が要求されている。
【０００４】
【特許文献１】
特開２００１−２９２２１９号公報
【０００５】
【発明が解決しようとする課題】
しかしながら、上記従来の携帯端末装置においては、ケーブル６１が浮き上がって隙間Ｓに入り込む場合があったため、バッテリー収容部５１の開口部を開く方向（Ｃ方向）に蓋体５５をスライドさせて、バッテリー本体５９の端面５９ａに係合部６５を近づける際に、これら係合部６５とバッテリー本体５９との間にケーブル６１を挟み込んでケーブル６１が破損する虞があった。また、ケーブル６１を挟み込んだ場合には、このケーブル６１によって蓋体５５のＣ方向への移動量が制限されるため、バッテリー収容部５１の開口部を開くことが困難となる問題があった。
従来では、これらの問題を解決するために、隙間Ｓとケーブル６１との間に大きなクリアランスを形成していたが、結果として端末本体５３の厚さ寸法が大きくなり、小型化、薄型化の要求に反するという問題があった。
この発明は、上述した事情に鑑みてなされたものであって、小型化を図ると共に、ケーブルの破損を防止できる携帯端末装置の提供を目的としている。
【０００６】
【課題を解決するための手段】
上記課題を解決するために、この発明は以下の手段を提案している。
請求項１に係る発明は、一表面に開口部を有するバッテリー収容部を備えた端末本体と、前記バッテリー収容部に収容可能なバッテリーと、該バッテリーから電力を前記端末本体に供給するケーブルと、スライドして前記バッテリー収容部の開口部を開閉自在とする蓋体とを備える携帯端末装置であって、前記蓋体により前記バッテリー収容部の開口部を閉じた状態で前記ケーブルが収容される位置に対向して弾性体を配設したことを特徴とする。
請求項２に係る発明は、一表面に開口部を有するバッテリー収容部を備えた端末本体と、前記バッテリー収容部に収容可能なバッテリーと、該バッテリーから電力を前記端末本体に供給するケーブルと、スライドして前記バッテリー収容部の開口部を開閉自在とする蓋体とを備える携帯端末装置であって、前記バッテリーを前記バッテリー収容部に収容した状態において、前記ケーブルの少なくとも一部が、前記蓋体のスライド方向に略直交する前記バッテリーの端面と前記バッテリー収容部の端面との間に形成される空間内に配されると共に、前記蓋体には、前記スライド方向に延び、前記端末本体に係合して前記開口部を閉状態に保持する係合部とを備え、前記蓋体が前記バッテリー収容部の開口部を閉じた状態において、前記蓋体の係合部と前記バッテリーとの間に形成される隙間に弾性体を設けたことを特徴とする。
【０００７】
この発明に係る携帯端末装置によれば、バッテリーをバッテリー収容部に収容し、且つ、蓋体によりバッテリー収容部の開口部を閉塞した状態においては、蓋体の係合部が端末本体に係合している。また、この状態においては、バッテリー本体の端面と蓋体の係合部との間に隙間が形成されている。さらに、この状態においては、バッテリーから端末本体へ電力を供給するケーブルが前記隙間の近傍に配されているが、この隙間には弾性体を介在させてあるため、前記隙間にケーブルが入り込むことを防止することができる。
さらに、蓋体を閉じた状態からスライドさせてバッテリー収容部の開口部を露出させる場合には、蓋体の係合部が端末本体との係合状態を解除する。この際には、バッテリーと蓋体の係合部との隙間が小さくなり、弾性体がバッテリーの端面に当接して弾性変形する。そして、この弾性体は、ケーブルが前記隙間に入り込むことを防止しているため、蓋体をスライドさせて開口部を開く際には、ケーブルがバッテリーの端面と蓋体の係合部との間に噛み込まれることを防止することができる。
【０００８】
請求項３に係る発明は、請求項１又は請求項２に記載の携帯端末装置において、前記弾性体が、スポンジ状部材であることを特徴とする。
この発明に係る携帯端末装置によれば、弾性体を発泡ウレタン等のスポンジ状部材とした場合には、弾性体を小さい力で容易に変形させることができるため、バッテリーや係合部に発生する応力を軽減させることができる。
【０００９】
【発明の実施の形態】
図１から図６は本発明に係る一実施形態を示しており、ここで説明する実施の形態は、この発明を携帯電話機に適用した場合のものである。この実施の形態に係る携帯電話機（携帯端末装置）１は、図１に示すように、平面視略矩形に形成された端末本体３と、端末本体３の内部に出し入れ自在に収容可能なバッテリー５と、端末本体３に装着したバッテリー５を覆い隠す蓋体７とを備えている。
バッテリー５は、平面視略矩形に形成された板状のバッテリー本体９と、端末本体３と電気的に接続するための接続端子１１と、これらバッテリー本体９と接続端子１１とを接続するケーブル１３とを備えている。ケーブル１３は、バッテリー本体９の厚さ方向に沿う端面９ａから引き出されている。したがって、バッテリー５の接続端子１１を端末本体３の接続端子（図示せず）に接続した状態においては、バッテリー本体９から端末本体３に電力を供給できるようになっている。
【００１０】
端末本体３の正面３ａには、通話キー、終話キー等の各種の押圧可能な操作キーからなる操作部と、各種情報を表示する表示部と、通話用のマイクロフォン及びスピーカー（いずれも不図示）とが設けられている。また、端末本体３の長手方向（ＣＤ方向）の一端部３ｃには、無線通信用のアンテナ１５が設けられている。
正面３ａと反対側に位置する端末本体３の裏面（一表面）３ｂには、バッテリー５を収容するためのバッテリー収容部１７が設けられている。このバッテリー収容部１７は、端末本体３の裏面３ｂから内方に窪んで形成されており、その底面１７ａからは、複数の突出壁部１９が突出している。
これら突出壁部１９は、バッテリー収容部１７を、バッテリー本体９を収容する本体収容部２１と、接続端子１１及びケーブル１３を収容するケーブル収容部２３とに区画するものである。また、これら突出壁部１９は、バッテリー本体９を本体収容部２１に収容した状態において、図２に示すように、バッテリー本体９の厚さ方向に沿う各側面及び各端面に接触し、バッテリー本体９が端末本体３の厚さ方向に直交する方向に移動できないように形成されている。
【００１１】
また、図１に示すように、端末本体３の長手方向に面するバッテリー収容部１７の端面１７ｂには、端末本体３を構成する筐体２５の内部に向かう凹部２７が形成されている。
さらに、端末本体３の長手方向の他端部３ｄには、バッテリー収容部１７の底面１７ａからさらに窪んで形成された段部２９が形成されており、この段部２９は、前述の端面１７ｂと同方向に面する段部端面２９ａを備えている。この段部端面２９ａには、筐体２５内に貫通する２つの貫通孔３１，３３が形成されている。
【００１２】
蓋体７は、平面視略矩形の薄板状に形成された底壁部３５と、底壁部３５の長手方向（ＣＤ方向）の一端部３５ａから厚さ方向（ＡＢ方向）の内面３５ｃ側に突出する突出壁部３７とを備えている。底壁部３５は、バッテリー収容部１７の長さ寸法及び幅寸法と等しく形成されており、バッテリー収容部１７の開口部を閉塞できるようになっている。
底壁部３５の長手方向の他端部３５ｂには、バッテリー収容部１７の端面１７ｂに形成された凹部２７に挿入可能な係合部３９が設けられている。この係合部３９は、図３に示すように、底壁部３５の内面３５ｃから突出して形成される突出部４１と、突出部４１の先端部から長手方向（Ｄ方向）に延出して形成される係合爪４３とを備えている。
突出部４１のうち、係合爪４３の形成方向とは逆方向（Ｃ方向）に面する表面４１ａには、略直方体形状のスポンジ状部材（弾性体）４２が接着して設けられている。このスポンジ状部材４２は、発泡ウレタン等の変形し易い弾性体により形成されている。
【００１３】
また、突出壁部３７の先端部には、前述の係合爪４３と同方向に延びる２つの突起部４５，４７が形成されている。これら突起部４５，４７は、図１に示す端末本体３の段部２９に形成された２つの貫通孔３１，３３にそれぞれ挿入するものである。
さらに、底壁部３５の他端部３５ｂには、内面３５ｃと反対側に位置する外面３５ｄから突出する指掛け部４４が形成されており、この指掛け部４４は、蓋体７を端末本体３に対して長手方向（ＣＤ方向）に移動させる際に、手指を引っ掛けるためのものである。
【００１４】
この蓋体７は、図４に示すように、その内面３５ｃをバッテリー本体９に対向させた状態で、その外面３５ｄが、端末本体３の裏面３ｂと略同一平面を形成するように構成されている。また、この蓋体７は、この状態から、Ｄ方向に延びる蓋体７の係合爪４３をバッテリー収容部１７の凹部２７に挿入すると共に、Ｄ方向に延びる蓋体７の突起部４５，４７をバッテリー収容部１７の段部２９の貫通孔３１，３３にそれぞれ挿入するように構成されている。すなわち、この蓋体７は、端末本体３の長手方向（ＣＤ方向）にスライドさせ、バッテリー収容部１７の開口部を開閉するように構成されている。
そして、係合爪４３及び突起部４５，４７をバッテリー収容部１７の凹部２７及び段部２９の貫通孔３１，３３にそれぞれ挿入した状態においては、蓋体７の底壁部３５によりバッテリー収容部１７の開口部が覆い隠され、突出壁部３７により段部２９が覆い隠されることになる。なお、この状態においては、蓋体７が端末本体３から、その厚さ方向（Ａ方向）に離間できないようになっており、また、凹部２７内に挿入された係合爪４３が端末本体３を構成する筐体２５の内面側に係合するようになっている。
すなわち、図５に示すように、筐体２５には、その内面２５ａからＢ方向に突出する係止部４８が形成されており、係合爪４３がこの係止部４８に係合するようになっている。なお、これら係合爪４３と係止部４８との係合状態を解除する際には、蓋体７の指掛け部４４をＢ方向に押圧しながら蓋体７をＣ方向にスライドさせればよい。
【００１５】
以上のように構成された携帯電話機１において、蓋体７をスライドさせてバッテリー収容部１７の開口部を開く際の作用について説明する。
バッテリー５をバッテリー収容部１７に収容し、且つ、蓋体７によりバッテリー収容部１７の開口部を閉塞した状態においては、ケーブル収容部２３側に位置するバッテリー本体９の端面９ａと突出部４１の表面４１ａとの間に隙間Ｓが形成されることになるが、この隙間Ｓは、突出部４１の表面４１ａに設けられたスポンジ状部材４２により占められている。また、バッテリー５のケーブル１３は、この隙間Ｓの近傍に位置しているが、この隙間Ｓがスポンジ状部材４２により占められているため、ケーブル１３がこの隙間Ｓに入り込むことを抑制している。
この状態から蓋体７をＣ方向にスライドさせて、図６に示すように、蓋体７の係合爪４３が凹部２７内から抜き出された際には、バッテリー本体９と突出部４１との間隔が狭まり、スポンジ状部材４２がバッテリー本体９の端面９ａに当接して弾性変形する。そして、スポンジ状部材４２は、ケーブル１３が隙間Ｓに入り込むことを抑制しているため、蓋体７をスライドさせた際に、ケーブル１３がバッテリー本体９と突出部４１との間に挟み込まれることを防止している。
【００１６】
上記のように、この携帯電話機１によれば、バッテリー本体９と突出部４１との隙間Ｓを占めるスポンジ状部材４２を設けることにより、ケーブル１３が浮き上がってバッテリー本体９と突出部４１とにより挟み込まれることを防止できるため、蓋体７をスライドさせる際にケーブル１３が破損することを防止できる。また、蓋体７が開かなくなることを防止し、蓋体７をスライドさせる動作をスムーズに行うことができる。
また、スポンジ状部材４２が、ウレタン等からなる発泡体により形成されているため、弾性体を小さい力で容易に変形させることができ、バッテリー本体９や突出部４１に発生する応力を軽減して、バッテリー本体９の破損、突出部４１の変形等の不具合を防止することができる。
【００１７】
なお、上記の実施形態においては、一つの筐体から構成される携帯電話機１について述べたが、これに限ることはなく、例えば２つの筐体と、これら２つの筐体を相互に回動可能、且つ、開閉可能に連結する連結手段とを備える携帯電話機であっても良い。また、携帯電話機に限ることはなく、ＰＤＡやノートパソコン等の携行可能な携帯端末装置であっても構わない。
以上、本発明の実施形態について図面を参照して詳述したが、具体的な構成はこの実施形態に限られるものではなく、本発明の要旨を逸脱しない範囲の設計変更等も含まれる。
【００１８】
【発明の効果】
以上説明したように、請求項１の発明によれば、ケーブルと対向する位置に弾性体を設けたことから、ケーブルの浮き上がりを防止し、蓋体をスライドさせる際にケーブルが挟み込まれて破損したり、蓋体が開かなくなることを防ぐことができる。
請求項２の発明によれば、バッテリーと係合部との隙間を占める弾性体を設けることにより、ケーブルがバッテリーと係合部とにより挟み込まれることを防止できるため、蓋体をスライドさせる際にケーブルが破損することを防止できると共に、蓋体をスライドさせる動作をスムーズに行うことができる。
【００１９】
請求項３の発明によれば、弾性体を弾性係数の小さいスポンジ状部材とすることにより、弾性体を小さい力で容易に変形させることができるため、バッテリー本体、蓋体の係合部に発生する応力を軽減でき、バッテリー本体の破損、蓋体の係合部の変形等の不具合を防止することができる。
【図面の簡単な説明】
【図１】この発明の一実施形態に係る携帯電話機を、端末本体と、バッテリーと、蓋体とに分離した状態を示す概略斜視図である。
【図２】図１の携帯電話機において、バッテリーを端末本体のバッテリー収容部に収容した状態を示す概略斜視図である。
【図３】図１の携帯電話機において、蓋体を示す概略斜視図である。
【図４】図２の携帯電話機において、蓋体によりバッテリー収容部の開口部を閉塞する途中段階を示す概略斜視図である。
【図５】図３の携帯電話機において、係合部を筐体の内面側に係合させた状態を示す拡大断面図である。
【図６】図５の携帯電話機において、係合部と筐体の内面との係合状態を解除した状態を示す拡大断面図である。
【図７】従来の携帯電話機において、係合部と筐体の内面との係合状態を解除した状態を示す拡大断面図である。
【符号の説明】
１  携帯電話機（携帯端末装置）
３  端末本体
３ｂ  裏面（一表面）
５  バッテリー
７  蓋体
９ａ  端面
１３  ケーブル
１７  バッテリー収容部
１７ｂ  端面
３９  係合部
４２  スポンジ状部材（弾性体）
Ｓ  隙間
【図１】
2004355966.tif 000003
【図２】
2004355966.tif 000004
【図３】
2004355966.tif 000005
【図４】
2004355966.tif 000006
【図５】
2004355966.tif 000007
【図６】
2004355966.tif 000008
【図７】
2004355966.tif 000009